(57)【要約】【課題】  印刷装置を検索するための検索条件の入力と印刷設定の入力の手間を軽減することでより使い勝手のよい印刷処理環境を提供する。【解決手段】  検索条件の入力を行い、検索結果一覧から印刷装置を選択する。選択された印刷装置で印刷が指示されると、該印刷装置における印刷設定画面に、前記検索条件を登録し、該検索条件を印刷設定として印刷処理を行う。【選択図】  図５
2005228243.tif 000002
【特許請求の範囲】
【請求項１】
印刷装置と通信可能な情報処理装置であって、
所定の印刷装置において印刷データを生成するための印刷設定を入力する入力手段と、
所望の印刷装置を検索するための検索条件を入力する検索条件入力手段と、
前記検索条件を満たす印刷装置を検索結果として表示する検索結果表示手段と、
前記検索結果表示手段において表示された印刷装置のうちの何れかを出力先として選択する選択手段と、
前記選択手段で選択された印刷装置に関する印刷設定として前記検索条件を設定する設定手段と、
を有することを特徴とする情報処理装置。
【請求項２】
印刷装置と通信可能な情報処理装置であって、
所定の印刷装置において印刷データを生成するための印刷設定を設定可能な印刷設定画面を表示する表示手段と、
所望の印刷装置を検索するための検索条件を入力する検索条件入力手段と、
前記検索条件を満たす印刷装置を検索結果として表示する検索結果表示手段と、
前記検索結果表示手段において表示された印刷装置のうちの何れかを出力先として選択する選択手段と、
を有し、
前記表示手段は、前記選択手段によって選択された印刷装置の印刷設定画面において、前記検索条件入力手段によって入力された検索条件を既に設定された印刷設定として表示することを特徴とする情報処理装置。
【請求項３】
前記設定手段において設定された印刷設定をユーザによって変更可能であることを特徴とする請求項１記載の情報処理装置。
【請求項４】
前記表示手段は、前記所定の印刷装置が有していない機能を印刷設定として設定不可能に表示することを特徴とする請求項２に記載の情報処理装置。
【請求項５】
前記検索条件を満たす印刷装置を検索する検索手段をさらに有することを特徴とする請求項１乃至４のいずれかに記載の情報処理装置。
【請求項６】
印刷装置と通信可能な情報処理装置における制御方法であって、
所定の印刷装置において印刷データを生成するための印刷設定を入力する入力ステップと、
所望の印刷装置を検索するための検索条件を入力する検索条件入力ステップと、
前記検索条件を満たす印刷装置を検索結果として表示する検索結果表示ステップと、
前記検索結果表示ステップにおいて表示された印刷装置のうちの何れかを出力先として選択する選択ステップと、
前記選択ステップで選択された印刷装置に関する印刷設定として前記検索条件を設定する設定ステップと、
を有することを特徴とする情報処理装置の制御方法。
【請求項７】
印刷装置と通信可能な情報処理装置の制御方法であって、
所定の印刷装置において印刷データを生成するための印刷設定を設定可能な印刷設定画面を表示する表示ステップと、
所望の印刷装置を検索するための検索条件を入力する検索条件入力ステップと、
前記検索条件を満たす印刷装置を検索結果として表示する検索結果表示ステップと、
前記検索結果表示ステップにおいて表示された印刷装置のうちの何れかを出力先として選択する選択ステップと、
を有し、
前記表示ステップは、前記選択ステップによって選択された印刷装置の印刷設定画面において、前記検索条件入力ステップによって入力された検索条件を既に設定された印刷設定として表示することを特徴とする情報処理装置の制御方法。
【請求項８】
印刷装置と通信可能な情報処理装置に以下の機能を実現させる為のプログラムであって、
所定の印刷装置において印刷データを生成するための印刷設定を入力する入力機能と、
所望の印刷装置を検索するための検索条件を入力する検索条件入力機能と、
前記検索条件を満たす印刷装置を検索結果として表示する検索結果表示機能と、
前記検索結果表示機能によって表示された印刷装置のうちの何れかを出力先として選択する選択選択と、
前記選択機能によって選択された印刷装置に関する印刷設定として前記検索条件を設定する設定機能と、
を情報処理装置に実現させるためのプログラム。
【請求項９】
印刷装置と通信可能な情報処理装置に以下の機能を実現させるためのプログラムであって、
所定の印刷装置において印刷データを生成するための印刷設定を設定可能な印刷設定画面を表示する表示機能と、
所望の印刷装置を検索するための検索条件を入力する検索条件入力機能と、
前記検索条件を満たす印刷装置を検索結果として表示する検索結果機能手段と、
前記検索結果表示機能によって表示された印刷装置のうちの何れかを出力先として選択する選択機能と、
を有し、
前記表示機能は、前記選択機能によって選択された印刷装置の印刷設定画面において、前記検索条件入力機能によって入力された検索条件を既に設定された印刷設定として表示することを特徴とするプログラム。
【発明の詳細な説明】
【技術分野】
【０００１】
本発明は、印刷装置と通信可能な情報処理装置及びその制御方法、プログラムに関するものである。
【背景技術】
【０００２】
従来、ネットワークを介して複数の印刷装置とホストコンピュータを接続し、各印刷装置を複数のホストコンピュータからの印刷指示により印刷可能としたネットワークシステムが利用されている。
【０００３】
このようなシステムを用いて、ユーザがホストコンピュータから印刷指示を送り、印刷処理を行う場合には、まず複数の印刷装置からユーザ所望の印刷装置を選ばなくてはならない。このとき、例えばカラー印刷可能や両面印刷可能などといった所望の機能を持った印刷装置を選ぶか、又はユーザがいる場所に最も近い位置にある印刷装置を選ぶかなど、その選択基準はそれぞれである。そこで、ネットワーク上にある複数の印刷装置から、ユーザ所望の様々な条件を満たす印刷装置を検索し、ユーザに提供する技術が従来から知られている。
【０００４】
一方、一度ユーザに選択されたプリンタは所謂「お気に入り」などとして登録し何度も利用されることが多い。また、実際に印刷を行う際に設定される例えば紙サイズ、解像度、カラー印刷、両面印刷等の印刷設定も毎回同じものを設定することが多い。このような現状から、ホストコンピュータに登録された複数の印刷装置それぞれに対して、印刷設定を登録しておき、ユーザは各印刷装置につけられたユーザ定義名を選択することによって出力先となる印刷装置とその印刷設定を同時に設定することを可能とする技術が考えられている（特許文献１参照）。これによりユーザは出力先となる印刷装置を選択するたびに毎回印刷設定を行うことが不要となる。
【特許文献１】特開平９−１８８００７号公報
【発明の開示】
【発明が解決しようとする課題】
【０００５】
しかしながら、これら従来技術を用いた場合、印刷設定と出力先を関連付けて記憶しておくことが可能となるものの、ユーザが所望の検索条件を入力し、該条件を満たす印刷装置が検索され、その印刷装置を用いて印刷処理を行う場合には、やはり印刷処理の際に印刷設定を行う必要がある。
【０００６】
つまり、ユーザは所望の印刷装置を検索する為に印刷装置の機能を検索条件として入力し、見つかった印刷装置に対して再び所望の機能を印刷設定として設定することになりユーザの負担が増えることになる。
【０００７】
本願発明はこのような問題点に鑑みなされたものであり、検索条件としての印刷装置の機能の設定と、印刷設定としての印刷装置の機能の設定とを一つにすることによって、よりユーザにとって使い勝手のよい印刷処理環境を提供することを目的とする。
【課題を解決するための手段】
【０００８】
上記課題を解決するために、本発明における情報処理装置は、印刷装置と通信可能な情報処理装置であって、所定の印刷装置において印刷データを生成するための印刷設定を入力する入力手段と、所望の印刷装置を検索するための検索条件を入力する検索条件入力手段と、前記検索条件を満たす印刷装置を検索結果として表示する検索結果表示手段と、前記検索結果表示手段において表示された印刷装置のうちの何れかを出力先として選択する選択手段と、前記選択手段で選択された印刷装置に関する印刷設定として前記検索条件を設定する設定手段とを有することを特徴とします。
【０００９】
また、本発明における情報処理装置は、印刷装置と通信可能な情報処理装置であって、所定の印刷装置において印刷データを生成するための印刷設定を設定可能な印刷設定画面を表示する表示手段と、所望の印刷装置を検索するための検索条件を入力する検索条件入力手段と、前記検索条件を満たす印刷装置を検索結果として表示する検索結果表示手段と、前記検索結果表示手段において表示された印刷装置のうちの何れかを出力先として選択する選択手段とを有し、前記表示手段は、前記選択手段によって選択された印刷装置の印刷設定画面において、前記検索条件入力手段によって入力された検索条件を既に設定された印刷設定として表示することを特徴とします。
【発明の効果】
【００１０】
本発明によれば、検索条件を満たす印刷装置を用いて印刷処理を行う際に、該検索条件を印刷設定として登録することにより、ユーザが改めて印刷設定を入力する手間を省き、より使い勝手のよい印刷処理環境を実現することができる。
【発明を実施するための最良の形態】
【００１１】
以下、本発明を適用するのに好適である実施例について説明を行う。
【００１２】
図１は本発明の実施例を示すシステムの構成を説明する概略図である。ネットワーク上にホストコンピュータ３０００および複数のプリンタ５００（プリンタＡ、プリンタＢ、プリンタＣ）が接続されている。ホストコンピュータ３０００と各プリンタ５００はネットワークを介して互いに通信可能である。
【００１３】
図２は本発明の実施例で想定されている印刷処理システムの構成を説明するブロック図の一例である。なお、特に断らない限り、ホストコンピュータとプリンタを接続する形態はＬＡＮ，ＷＡＮ、公衆回線、インターネット等いかなる形態であっても適用できる。
【００１４】
図２において、３０００はホストコンピュータで、ＲＯＭ３のプログラム用ＲＯＭあるいは外部メモリ１１に記憶された文書処理プログラム等に基づいて図形、イメージ、文字、表（表計算等を含む）等が混在した文書処理を実行するＣＰＵ１を備え、システムバス４に接続される各デバイスをＣＰＵ１が総括的に制御する。
【００１５】
また、このＲＯＭ３のプログラム用ＲＯＭあるいは外部メモリ１１には、ＣＰＵ１の制御プログラムであるオペレーティングシステムプログラム（以下ＯＳ）等を記憶し、ＲＯＭ３のフォント用ＲＯＭあるいは外部メモリ１１には上記文書処理の際に使用するフォントデータ等を記憶し、ＲＯＭ３のデータ用ＲＯＭあるいは外部メモリ１１には上記文書処理等を行なう際に使用する各種データを記憶する。
【００１６】
２はＲＡＭで、ＣＰＵ１の主メモリ、ワークエリア等として機能する。
【００１７】
５はキーボードコントローラ（ＫＢＣ）で、キーボード９や不図示のポインティングデバイスからのキー入力を制御する。
６はＣＲＴコントローラ（ＣＲＴＣ）で、ＣＲＴディスプレイ（ＣＲＴ）１０の表示を制御する。
【００１８】
７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フロッピー（登録商標）ディスク（ＦＤ）等の外部メモリ１１とのアクセスを制御する。
【００１９】
８はプリンタコントローラ（ＰＲＴＣ）で、ネットワーク１００を介してプリンタ５００に接続されて、プリンタ１５００との双方向通信制御処理を実行する。なお、送信の際に接続プロトコルに応じたコマンドを印刷ジョブに付加する場合もある。また、前記コマンドはＯＳが自動的に付加する場合もある。
【００２０】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。
【００２１】
また、ＣＰＵ１は、ＣＲＴ１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行なえる。
【００２２】
プリンタ５００において、１２はプリンタＣＰＵで、ＲＯＭ１４のプログラムＲＯＭに記憶された制御プログラム等あるいは外部メモリ２１に記憶された制御プログラム等に基づいてシステムバス１５に接続される印刷部Ｉ／Ｆ１６を介して印刷部（プリンタエンジン）１７に出力情報としての画像信号を出力する。
【００２３】
また、このＲＯＭ１４のプログラムＲＯＭには、ＣＰＵ１２の制御プログラム等を記憶する。ＲＯＭ１４のフォント用ＲＯＭには上記出力情報を生成する際に使用するフォントデータ等を記憶し、ＲＯＭ１４のデータ用ＲＯＭにはハードディスク等の外部メモリ２１がないプリンタの場合には、ホストコンピュータ上で利用される情報等を記憶している。
【００２４】
ＣＰＵ１２は入力部１８を介してホストコンピュータとの通信処理が可能となっており、プリンタ内の情報等をホストコンピュータ３０００に通知可能に構成されている。プリンタドライバから受信したデータはＲＡＭ１３に格納され、制御プログラムにより画像信号に変換される。なお、通信プロトコルに応じて付加されているコマンドの解釈も制御プログラムにより行なわれる。
【００２５】
ＲＡＭ１３はＣＰＵ１２の主メモリ、ワークエリア等として機能するＲＡＭで、図示しない増設ポートに接続されるオプションＲＡＭによりメモリ容量を拡張することができるように構成されている。なお、ＲＡＭ１３は、出力情報展開領域、環境データ格納領域、ＮＶＲＡＭ等に用いられる。
【００２６】
前述したハードディスク（ＨＤ）、ＩＣカード等の外部メモリ２１は、メモリコントローラＭＣ２０によりアクセスを制御される。外部メモリ２１は、オプションとして接続され、フォントデータ、エミュレーションプログラム、フォームデータ等を記憶する。
【００２７】
また、２２は前述した操作パネルで、操作のためのスイッチやＬＥＤ表示器、液晶パネル等が配されている。また、前述した外部メモリは１個に限らず、少なくとも１個以上備え、内蔵フォントに加えてオプションフォントカード、言語系の異なるプリンタ制御言語を解釈するプログラムを格納した外部メモリを複数接続できるように構成されていてもよい。さらに、図示しないＮＶＲＡＭを有し、操作パネル２２からのプリンタモード設定情報を記憶するようにしてもよい。
【００２８】
図３は、プリンタ等の印刷装置が直接接続されているか、あるいはネットワーク経由で接続されているホストコンピュータにおける典型的な印刷処理の構成図である．アプリケーション２０１、グラフィックエンジン２０２、プリンタドライバ２０３、およびシステムスプーラ２０４は、外部メモリ１１に保存されたファイルとして存在し、実行される場合にＯＳやそのモジュールを利用するモジュールによってＲＡＭ２にロードされ実行されるプログラムモジュールである．また、アプリケーション２０１およびプリンタドライバ２０３は、外部メモリ１１のＦＤや不図示のＣＤ−ＲＯＭ、あるいは不図示のネットワークを経由して外部ディスク１１のＨＤに追加することが可能となっている．外部メモリ１１に保存されているアプリケーション２０１はＲＡＭ２にロードされて実行されるが、このアプリケーション２０１からプリンタ５００に対して印刷を行う際には、同様にＲＡＭ２にロードされ実行可能となっているグラフィックエンジン２０２を利用して出力（描画）を行う。
【００２９】
グラフィックエンジン２０２は、印刷装置ごとに用意されたプリンタドライバ２０３を同様に外部メモリ１１からＲＡＭ２にロードし、アプリケーション２０１の出力をプリンタドライバ２０３に設定する。そして、アプリケーション２０１から受け取るＧＤＩ（Ｇｒａｐｈｉｃ  Ｄｅｖｉｃｅ  Ｉｎｔｅｒｆａｃｅ）関数からＤＤＩ（Ｄｅｖｉｃｅ  Ｄｒｉｖｅｒ  Ｉｎｔｅｒｆａｃｅ）関数に変換して、プリンタドライバ２０３へＤＤＩ関数を出力する。プリンタドライバ２０３は、グラフィックエンジン２０２から受け取ったＤＤＩ関数に基づいて、プリンタが認識可能な制御コマンド、例えばＰＤＬ（Ｐａｇｅ  Ｄｅｓｃｒｉｐｔｉｏｎ  Ｌａｎｇｕａｇｅ）に変換する。変換されたプリンタ制御コマンドは、ＯＳによってＲＡＭ２にロードされたシステムスプーラ２０４を経てインタフェース２１経由でプリンタ５００へ印刷データとして出力される仕組みとなっている。
【００３０】
図４は、本実施例に係るプリンタドライバ２０３の内部構成をさらに模式的に表したものである。プリンタドライバ２０３はユーザからの印刷設定の指定及び検索条件の指定等を受け付ける指定入力部４０１を有する。また、ＵＩ制御部４０２は、指定入力部４０１による指定の際にＵＩを制御し、ユーザにわかりやすい形式で表示を行わせる。例えば、「両面印刷可能」なプリンタに対する印刷設定画面では「両面印刷」を設定可能に表示し、逆に「両面印刷不可能」であるプリンタについては、「両面印刷」を設定することができないように表示するようにＵＩを制御する。これによりユーザは検索の結果見つかったプリンタが備える機能をＵＩから知ることができる。検索部４０３は、指定入力部４０１においてユーザから検索実行の指示があった場合に、ユーザ所望の機能を有したプリンタを検索する。具体的にはユーザから検索の指示があると、プリンタ情報取得部４０４がネットワーク上のプリンタに対して機能情報を問い合わせて取得し、取得された各プリンタの機能情報と指定入力部４０１で入力された検索条件とを比較し、条件を満たすプリンタをＵＩ制御部４０２によってＵＩに表示する。ただし、プリンタの検索方法はこれに限定されるものでなく、その他の方法を用いても良い。印刷データ生成部４０５は、指定入力部で入力された印刷設定に基づいて印刷データを生成し、印刷データ出力部４０６は生成された印刷データをシステムスプーラに出力する。
【００３１】
図５は、本願発明の印刷処理に関して、プリンタの検索から印刷処理までの一連の流れを示したフローチャートである。また、図６〜図１１はホストコンピュータのＵＩにおける図５のそれぞれのステップにおける表示例である。
【００３２】
以下図５及び図６〜図１１を用いて、本願発明における印刷処理の流れを説明する。
【００３３】
まず、Ｓ５０１において印刷設定画面を開く。図６は印刷設定が指定された場合の印刷設定画面の表示例を示している。図６には、印刷設定としてユーザが設定できる項目としてプリンタの種別、解像度、用紙サイズ等が表示されている。図６に示す例ではユーザがマウス等の入力装置を用いてプルダウンを選択することにより各項目における設定可能な内容が表示される（図６の６０１）。なお、印刷設定項目はこれらに限定されるものではなく、図６に表示したもの以外の印刷設定項目を設定可能としてもよい。そして、ＯＫボタン６０２が押下されると、設定されている印刷設定に基づいて印刷処理が行われるが、出力先情報ボタン６０３が押下されるとＳ５０２に進み、図７に示した出力先情報画面が表示される。図７の例では、現在出力先として登録されているプリンタの名称とアドレスが表示されており（７０１）、ユーザはどのプリンタに出力されるかを確認することができる。また、出力先のプリセットとして現在使用可能なプリンタの一覧を確認することができる（７０２）。プルダウンを選択すると図８の８０１のように表示され、プリンタＡ、プリンタＢ、プリンタＣの三台のプリンタが使用可能であることがわかる。そしてこのプリンタ一覧の中から選択されたプリンタを出力先として登録することができる。次に、図８において「追加」ボタン８０２が押下されることにより図９のデバイス検索画面が表示される（Ｓ５０３）。図９の画面上で、ユーザは所望の印刷設定を選択する。図９では、「モノクロ」「両面」「ステイプル」がユーザによって選択された場合を示している（Ｓ５０４）。また、特に印刷設定が選択されていない用紙サイズ、解像度等の項目については、検索条件から除外することを示している。ユーザが所望の検索条件を入力し、「検索」ボタン９０１を押下すると、入力された印刷設定を満たすネットワーク上のプリンタが検索される（Ｓ５０５）。Ｓ５０６に進み、検索の結果、条件を満たすプリンタが見つかった場合には図１０の検索結果表示画面が表示され、検索結果の一覧が表示される（Ｓ５０７）。図１０の例では、図９によってユーザによって入力された「モノクロ」「両面」「ステイプル」という検索条件に対する検索結果としてプリンタＤとプリンタＥが検索条件を満たすプリンタとして見つかった場合を示している。検索結果一覧画面１００１には、プリンタ名称とアドレスの他に、設定情報として、ユーザが入力した検索条件を表示しておくことにより、プリンタが有する機能を確認することができるようにしておく。次にＳ５０８において、検索結果画面の中から何れかのプリンタを選択する。その後、「印刷」ボタン１００２が押下されたかを判断する（Ｓ５０９）。「印刷」ボタンが押下された場合には、図１１の画面が表示される（Ｓ５１０）。図１１は図６に示した印刷設定画面であるが、既にいくつかの印刷設定が登録されている点が図６と異なる。そして図１１において登録されている印刷設定は、Ｓ５０４においてユーザが入力した検索条件と同じ項目である。つまり、Ｓ５０４における検索条件を満たすプリンタを用いて印刷を実行する場合には、その後改めて印刷設定を入力しなくても、検索条件として入力した印刷設定が既に登録されており、所望の印刷設定で印刷を行うことができる。図１１において「ＯＫ」ボタン１１０１が押下されたかどうかを判別し（Ｓ５１１）、押下された場合には設定された印刷設定に基づいて印刷処理が行われ（Ｓ５１３）、処理を終了する。また、Ｓ５１１においてＯＫが押下されない場合、つまりさらに印刷設定を変更することも可能であり、必ずしも検索条件で用いた印刷設定を用いて印刷が行われなければならないわけではない。Ｓ５１２において印刷設定が入力されると、該入力された印刷設定に基づいて印刷処理が行われる。また、印刷処理が行われると同時に、選択されたデバイスが出力先のプリセットに登録されるため、今後は検索処理を行わなくても該プリンタを簡単に使用することができる。Ｓ５０９において「印刷」ボタン１００２が押下されなかった場合にはＳ５１４に進み、「登録」ボタン１００３が押下されたかどうかを判断する。「登録」ボタンが押下された場合には、Ｓ５１５に進み、Ｓ５０８において選択されたデバイスを図８の８０１に示した出力先のプリセットに登録する処理を行い、処理を終了する。
【００３４】
なお、本実施形態においては、プリンタを例に説明を行ったが、複写機、複合機、スキャナ、ＦＡＸ等その他のデバイスについても本発明を適用できることは言うまでもない。
【００３５】
また、本発明の目的は、前述した実施形態の機能を実現する手順を実現するプログラムコードを記憶した記憶媒体を、システムあるいは装置のコンピュータ（またはＣＰＵやＭＰＵ）が記憶媒体に格納されたプログラムコードを読出し実行することによっても達成される。
【００３６】
この場合、記憶媒体から読み出されたプログラムコード自体が前述した実施形態の機能を実現することになり、そのプログラムコードを記憶した記憶媒体は本発明を構成することになる。
【００３７】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、ＤＶＤ−ＲＯＭ、ＤＶＤ−Ｒ、磁気テープ、不揮発性のメモリカード、ＲＯＭ、ネットワーク上のファイルサーバが有する記憶装置、或いは、インターネット上のＦＴＰサーバが有する記憶装置など、あらゆる記録媒体を用いることができる。
【００３８】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【図面の簡単な説明】
【００３９】
【図１】本発明の一実施例を示す印刷処理システムの構成例である。
【図２】本発明の一実施例に係る印刷処理システムの内部構成を説明するブロック図である。
【図３】ホストコンピュータ３０００内のソフトウェア構成を説明するブロック図である。
【図４】プリンタドライバ２０３の内部構成を説明するブロック図である。
【図５】本発明の一実施例に係る印刷処理手順を示すフローチャートである。
【図６】本発明の一実施例に係るホストコンピュータに表示される印刷設定画面の例である。
【図７】本発明の一実施例に係るホストコンピュータに表示される出力先情報画面の例である。
【図８】本発明の一実施例に係るホストコンピュータに表示される出力先情報画面の例である。
【図９】本発明の一実施例に係るホストコンピュータに表示されるデバイス検索画面の例である。
【図１０】本発明の一実施例に係るホストコンピュータに表示されるデバイス検索結果表示画面の例である。
【図１１】本発明の一実施例に係るホストコンピュータに表示される印刷設定画面の例である。
【符号の説明】
【００４０】
５００  プリンタ
３０００  ホストコンピュータ
１  ＣＰＵ
２  ＲＡＭ
３  ＲＯＭ
４  バス
５  キーボードコントローラ
６  ＣＲＴコントローラ
【図１】
2005228243.tif 000003
【図２】
2005228243.tif 000004
【図３】
2005228243.tif 000005
【図４】
2005228243.tif 000006
【図５】
2005228243.tif 000007
【図６】
2005228243.tif 000008
【図７】
2005228243.tif 000009
【図８】
2005228243.tif 000010
【図９】
2005228243.tif 000011
【図１０】
2005228243.tif 000012
【図１１】
2005228243.tif 000013